(57)【特許請求の範囲】
【請求項１】
稼働した場合に接続可能な機器との間で接続情報を伝送し、子機と接続した場合に自装置の接続情報を前記子機に授受する接続設定手段と、前記接続設定手段が前記自装置の接続情報を前記子機に授受した場合、前記子機から前記子機の接続情報を受信する通信手段と、前記子機の接続情報を保持する記憶手段と、更新の指示が入力された場合、前記記憶手段が保持している前記子機の接続情報を前記更新の指示に応じて更新する入力手段と、を備え、前記接続設定手段は、親機と接続した場合に前記親機の接続情報を取得し、前記親機の接続情報を前記通信手段に設定し、前記通信手段は、前記親機の接続情報が設定された場合、前記記憶手段が保持している子機の接続情報を前記親機に送信することを特徴とする情報管理装置。
【請求項２】
前記通信手段は、前記入力手段が前記子機の接続情報の前記親機への送信指示を受付けた場合、前記子機の接続情報を前記親機へ送信する、ことを特徴とする請求項１に記載の情報管理装置。
【請求項３】
前記接続設定手段は、スイッチを備え、前記接続設定手段は、前記スイッチが押下された場合、前記スイッチと対応する第２のスイッチが押下されている機器との間で接続情報を伝送する、ことを特徴とする請求項１または請求項２に記載の情報管理装置。
【請求項４】
前記子機と接続された場合に、前記接続設定手段を用いて、前記情報管理装置の接続情報を前記子機に授受する請求項１乃至３のいずれか１項に記載の情報管理装置と、稼働した場合に接続可能な機器との間で接続情報を伝送し、前記情報管理装置と接続した場合に、前記情報管理装置の接続情報を取得し、前記情報管理装置の接続情報を子機の通信手段に設定する接続設定手段、および前記情報管理装置の接続情報が設定された場合、前記子機の接続情報を前記情報管理装置に送信する通信手段を有する前記子機と、を備えることを特徴とする通信システム。
【請求項５】
稼働した場合に接続可能な機器との間で接続情報を伝送し、前記情報管理装置と接続した場合に、前記親機の接続情報を前記情報管理装置へ授受する接続設定手段を備える親機を更に備えることを特徴とする請求項４に記載の通信システム。
【請求項６】
前記情報管理装置の接続設定手段、前記子機の接続設定手段及び前記親機の接続設定手段はそれぞれスイッチを備え、スイッチが押下されている機器間で接続情報を伝送する請求項５に記載の通信システム。
【請求項７】
前記情報管理装置の通信手段は、前記入力手段が前記子機の接続情報の前記親機への送信指示を受付けた場合、前記子機の接続情報を前記親機へ送信する、ことを特徴とする請求項５又は６に記載の通信システム。
【請求項８】
稼働された時に接続可能な機器との間で接続情報を伝送する接続設定手段を備えた情報管理装置の制御方法であって、前記接続設定手段が子機と接続した場合に自装置の接続情報を前記子機に授受し、前記自装置の接続情報を前記子機に授受した場合、前記子機から前記子機の接続情報を受信し、前記受信した子機の接続情報を保持し、更新の指示が入力された場合、前記保持している前記子機の接続情報を前記更新の指示に応じて更新し、前記接続設定手段が親機と接続した場合に前記親機の接続情報を取得し、前記親機の接続情報を前記情報管理装置の通信手段に設定し、前記通信手段に、前記保持している前記子機の接続情報を前記親機に送信させる、ことを特徴とする情報管理装置の制御方法。
【発明の詳細な説明】
【技術分野】
【０００１】
本発明は、情報管理装置、通信システムおよび情報管理装置の制御方法に関する。
【背景技術】
【０００２】
スマートフォン等の通信装置を用いて、家庭やオフィス等（以下、「物件」と記載する。）に存在する様々な電化製品（以下、「子機」と記載する。）を制御する技術が普及している。
【０００３】
しかしながら、契約の満了などにより物件の居住者が変わるような場合、物件の新たな居住者は、自身の通信装置と子機との接続設定を一からやらなくてはならず、大きな手間が掛かっていた。
【０００４】
上記問題に関連して、特許文献１には、交換により新たに設置される無線親機と、既設の無線子機の何れか一つとの間で縁組作業を行うことで、新たに設置される無線親機と既設全ての無線子機との縁組を完了させる発明が開示されている。
【先行技術文献】
【特許文献】
【０００５】
【特許文献１】特開２０１０−２１３２０１
【発明の概要】
【発明が解決しようとする課題】
【０００６】
しかしながら、特許文献１の発明では、物件に新たな居住者が入居する以前に、物件の管理者によって、新たな子機が追加設置された場合や、新たな子機が既設子機との付替えで設置された場合、新たな子機の接続情報を既設子機との縁組によって取得することができない。
【０００７】
本発明は、上記問題に鑑みてなされたものであり、物件に新たな居住者が入居する以前に、新たな子機が追加設置された場合や、新たな子機が付替設置された場合であっても、新たな子機及び既設子機の接続情報を容易に管理できる、情報管理装置、通信システム及び通信システムの制御方法を提供することを目的とする。
【課題を解決するための手段】
【０００８】
上記目的を達成するために本発明に係る情報管理装置は、稼働した場合に接続可能な機器との間で接続情報を伝送し、子機と接続した場合に自装置の接続情報を子機に授受する接続設定手段と、接続設定手段が自装置の接続情報を子機に授受した場合、子機から子機の接続情報を受信する通信手段と、子機の接続情報を保持する記憶手段と、更新の指示が入力された場合、記憶手段が保持している子機の接続情報を前記更新の指示に応じて更新する入力手段と、を備えることを特徴とする。
【０００９】
上記目的を達成するために本発明に係る通信システムは、子機と接続された場合に、情報管理装置の接続設定手段を用いて、情報管理装置の接続情報を子機に授受する情報管理装置と、稼働した場合に接続可能な機器との間で接続情報を伝送し、情報管理装置と接続した場合に、情報管理装置の接続情報を取得し、情報管理装置の接続情報を子機の通信手段に設定する子機の接続設定手段、および情報管理装置の接続情報が設定された場合、子機の接続情報を情報管理装置に送信する子機の通信手段を有する子機と、を備えることを特徴とする。
【００１０】
上記目的を達成するために本発明に係る情報管理装置の制御方法は、稼働された時に接続可能な機器との間で接続情報を伝送する接続設定手段を備えた情報管理装置の制御方法であって、接続設定手段が子機と接続した場合に自装置の接続情報を子機に授受し、自装置の接続情報を子機に授受した場合、子機から子機の接続情報を受信し、受信した子機の接続情報を保持し、更新の指示が入力された場合、保持している子機の接続情報を更新の指示に応じて更新する、ことを特徴とする。
【発明の効果】
【００１１】
物件に新たな居住者が入居する以前に、新たな子機が追加設置された場合や、新たな子機が付替設置された場合であっても、新たな子機及び既設子機の接続情報を容易に管理できる。
【図面の簡単な説明】
【００１２】
【図１】本発明の第１の実施形態に係る情報管理装置１０のブロック構成図である。
【図２】本発明の第１の実施形態に係る情報管理装置１０の動作の一例を示すフローチャートである。
【図３】本発明の第２の実施形態に係る通信システム１００のシステム構成図である。
【図４】本発明の第２の実施形態に係る接続要件情報の一例である。
【図５】本発明の第２の実施形態に係る無線親機２００のブロック構成図である。
【図６】本発明の第２の実施形態に係る情報管理装置３００のブロック構成図である。
【図７】本発明の第２の実施形態に係る無線子機４００のブロック構成図である。
【図８】本発明の第２の実施形態に係る接続要件情報に対する、削除動作の一例である。
【図９】本発明の第２の実施形態に係る接続要件情報に対する、追加動作の一例である。
【図１０】本発明の第２の実施形態に係る無線親機２００が、情報管理装置３００及び無線子機４００と接続する動作手順の一例を示すフローチャートである。
【図１１】本発明の第２の実施形態に係る接続要件情報の一例である。
【図１２】本発明の第２の実施形態に係る接続要件情報の一例である。
【発明を実施するための形態】
【００１３】
（第１の実施形態）
本発明の第１の実施形態について説明する。
【００１４】
本実施形態に係る情報管理装置１０のブロック構成図を図１に示す。情報管理装置１０は、図１に示すように、接続設定手段２０と、通信手段３０と、記憶手段４０と、入力手段５０と、を備える。
【００１５】
接続設定手段２０は、稼働した時に接続可能な機器との間で接続情報を伝送する。接続設定手段２０として、例えば、Ｗｉ−Ｆｉ  Ｐｒｏｔｅｃｔｅｄ  Ｓｅｔｕｐ（ＷＰＳ）規格のプッシュボタン方式を適用することができる。この場合、接続設定手段２０は接続スイッチを備え、接続スイッチがＯＮされている機器間で、Ｗｉ−Ｆｉ（登録商標）による接続を確立する。そして、接続設定手段２０は、子機と接続した場合には情報管理装置１０の接続情報を子機に授受する。一方、接続設定手段２０は、親機と接続した場合には親機の接続情報を取得し、取得した親機の接続情報を通信手段３０に設定する。
【００１６】
通信手段３０は、接続設定手段２０が情報管理装置１０の接続情報を子機に授受した場合、子機から子機の接続情報を受信する。また、通信手段３０は、接続設定手段２０によって親機の接続情報が設定された場合、記憶手段４０に保持されている子機の設定情報を親機へ送信する。
【００１７】
記憶手段４０は、子機の接続情報を保持する。
【００１８】
入力手段５０は、更新の指示が入力された場合、記憶手段４０が保持している子機の接続情報を、更新の指示に応じて更新する。
【００１９】
次に、図２を参照しながら、情報管理装置１０が、子機から、子機の接続情報を取得する時の動作について説明する。
【００２０】
情報管理装置１０のユーザは、情報管理装置１０に子機の接続情報を登録する場合、情報管理装置１０の接続スイッチと、接続情報の登録対象の子機に配置されている接続スイッチとをＯＮする。これにより、情報管理装置１０の接続情報の登録対象の子機との間での接続設定手段におけるＷｉ−Ｆｉ接続が確立される。情報管理装置１０は、接続情報の登録対象の子機とのＷｉ−Ｆｉ接続が確立された場合、子機の接続情報の送信要求と共に、情報管理装置１０の接続情報を子機に授受する（Ｓ１０１）。子機は、Ｗｉ−Ｆｉ通信によって情報管理装置１０から接続情報の送信要求と共に情報管理装置１０の接続情報を受信した時、受信した情報管理装置１０の接続情報用いて、無線通信により自機の接続情報を情報管理装置１０の通信手段３０へ送信する。
【００２１】
情報管理装置１０の通信手段３０は、Ｓ１０１の後、子機から子機の接続情報を受信する（Ｓ１０２）。
【００２２】
情報管理装置１０は、記憶手段４０に受信した子機の接続情報を保持する（Ｓ１０３）。情報管理装置１０のユーザは、情報管理装置１０への子機の接続情報の登録が完了した後、情報管理装置１０と子機の接続スイッチをＯＦＦする。そして、ユーザはさらに情報管理装置１０に登録されている子機の接続情報の修正・削除等を行う場合、情報管理装置１０の入力手段５０を用いて、子機の接続情報の修正・削除等の更新指示を行う。
【００２３】
更新の指示が入力された場合（Ｓ１０４のＹＥＳ）、入力手段５０は、記憶手段４０が保持している子機の接続情報を、更新の指示に応じて更新する（Ｓ１０５）。
【００２４】
Ｓ１０５終了後、又は更新の指示が入力されなかった場合（Ｓ１０４のＮＯ）、情報管理装置１０は、動作を終了する。
【００２５】
一方、情報管理装置１０のユーザは、親機に情報管理装置１０に登録されている子機の接続情報を転送する場合、情報管理装置１０の接続スイッチと親機に配置されている接続スイッチとをＯＮする。これにより、情報管理装置１０と親機とがＷｉ−Ｆｉ接続される。情報管理装置１０は、親機とＷｉ−Ｆｉ接続された時、親機へ接続情報の送信を要求する。そして、情報管理装置１０の接続設定手段２０は、親機から親機の接続情報を受信した場合、受信した親機の接続情報を通信手段３０へ設定する。そして、情報管理装置１０は、通信手段３０を用いて自装置の接続情報を親機へ送信する。情報管理装置１０と親機の間で無線通信が可能になった場合、情報管理装置１０は、通信手段３０を用いて記憶手段４０に登録されている子機の接続情報を親機へ送信する。情報管理装置１０のユーザは、親機への子機の接続情報の転送が完了した後、情報管理装置１０と親機の接続スイッチをＯＦＦする。
【００２６】
上記構成とすることで、本実施形態に係る情報管理装置１０は、物件に新たな居住者が入居する以前に、新たな子機が追加設置された場合や、新たな子機が付替設置された場合であっても、物件の新たな居住者の通信装置と、新たな子機及び既設子機とを容易に接続させることができる。
【００２７】
（第２の実施形態）
次に、本発明の第２の実施形態について説明する。
【００２８】
本実施形態に係る通信システム１００のシステム構成図を図３に示す。通信システム１００は、図３に示すように、無線親機２００と、情報管理装置３００と、無線子機４００と、を備える。なお、無線子機４００の設置数は、特に限定されない。また、無線親機２００と、情報管理装置３００と、無線子機４００とのそれぞれは、ＡＲＩＢ  ＳＴＤ−Ｔ１０８で規定された９２０ＭＨｚ帯特定省電力無線規格に準じた同一無線通信方式に対応しているものとする。
【００２９】
無線親機２００は、物件の新たな居住者が所有する通信装置であって、情報管理装置３００から、無線子機４００との接続に必要な情報（以下、「接続要件情報」と記載する。）を受信し、受信した接続要件情報に基づいて無線子機４００と接続する。ここで、接続要件情報の一例を図４に示す。なお、接続要件情報に含まれる無線子機４００の数は、通信システム１００における無線子機４００の設置数に応じて増減する。
する。
【００３０】
情報管理装置３００は、無線子機４００の接続要件情報を保持する管理装置であって、無線親機２００が無線子機４００と接続する場合、接続要件情報を無線親機２００に送信する。なお、情報管理装置３００は、物件に常設されるものであってもよいし、持ち運び可能なものであってもよい。
【００３１】
無線子機４００は、物件に新たな居住者が入居する以前に、物件に設置されている子機であって、接続要件情報が無線親機２００に設定されることにより、無線親機２００から各種指示情報を受信する。
【００３２】
無線親機２００のブロック構成図を図５に示す。無線親機２００は、図５に示すように、無線親機側接続スイッチ２１０と、無線親機制御部２２０と、無線親機側通信部２３０と、無線親機メモリ２４０と、を備える。
【００３３】
無線親機側接続スイッチ２１０は、押下されると、無線親機２００を、後述する情報管理装置側接続スイッチ３１０が押下された情報管理装置３００や、後述する無線子機側接続スイッチ４１０が押下された無線子機４００と接続させる。なお、無線親機側接続スイッチ２１０、情報管理装置側接続スイッチ３１０及び無線子機側接続スイッチ４１０は、ＷＰＳ規格のプッシュボタン方式に対応したスイッチである。
【００３４】
無線親機制御部２２０は、無線親機側接続スイッチ２１０及び情報管理装置側接続スイッチ３１０が押下され、無線親機２００と情報管理装置３００とが接続した後、次の２つの動作を行う。第１に、無線親機制御部２２０は、無線親機側通信部２３０に、後述する情報管理装置側通信部３３０から送信される接続要件情報を受信させ、これを無線親機メモリ２４０に保存させる。第２に、無線親機制御部２２０は、上記保存させた接続要件情報を無線親機側通信部２３０の通信設定に適用し、この通信設定下で無線親機側通信部２３０を動作させる。
【００３５】
無線親機側通信部２３０は、無線親機側接続スイッチ２１０及び情報管理装置側接続スイッチ３１０が押下され、無線親機２００と情報管理装置３００とが接続した後、次の２つの動作を行う。第１に、無線親機側通信部２３０は、情報管理装置側通信部３３０から送信される接続要件情報を受信し、これを無線親機メモリ２４０に保存する。第２に、無線親機側通信部２３０は、無線親機制御部２２０からの指示を受け、上記保存した接続要件情報に基づく動作を行う。
【００３６】
無線親機メモリ２４０は、無線親機側通信部２３０が受信した接続要件情報等、各種情報を保持する。
【００３７】
情報管理装置３００のブロック構成図を図６に示す。情報管理装置３００は、図６に示すように、情報管理装置側接続スイッチ３１０と、情報管理装置制御部３２０と、情報管理装置側通信部３３０と、入力部３４０と、情報管理装置メモリ３５０と、を備える。
【００３８】
情報管理装置側接続スイッチ３１０は、押下されると、情報管理装置３００を、無線親機側接続スイッチ２１０が押下された無線親機２００や、無線子機側接続スイッチ４１０が押下された無線子機４００と接続させる。
【００３９】
情報管理装置制御部３２０は、情報管理装置側接続スイッチ３１０及び無線子機側接続スイッチ４１０が押下され、情報管理装置３００と無線子機４００とが接続した後、情報管理装置側通信部３３０に無線子機側通信部４３０から送信される接続要件情報を受信させ、これを情報管理装置メモリ３５０に保存させる。
【００４０】
また、情報管理装置制御部３２０は、無線親機側接続スイッチ２１０及び情報管理装置側接続スイッチ３１０が押下され、無線親機２００と情報管理装置３００とが接続した後、情報管理装置メモリ３５０から接続要件情報を読み出し、これを情報管理装置側通信部３３０に、無線親機側通信部２３０へ送信させる。
【００４１】
情報管理装置側通信部３３０は、情報管理装置側接続スイッチ３１０及び無線子機側接続スイッチ４１０が押下され、情報管理装置３００と無線子機４００とが接続した後、無線子機側通信部４３０から送信される接続要件情報を受信し、これを情報管理装置メモリ３５０に保存する。
【００４２】
情報管理装置側通信部３３０は、無線親機側接続スイッチ２１０及び情報管理装置側接続スイッチ３１０が押下され、無線親機２００と情報管理装置３００とが接続した後、情報管理装置制御部３２０が読み出した接続要件情報を、無線親機側通信部２３０へ送信する。
【００４３】
入力部３４０は、情報管理装置３００の図示されない表示部に表示された情報管理装置メモリ３５０に登録されている接続要件情報に対する、ユーザによる削除又は更新等の入力を受付ける。
【００４４】
情報管理装置メモリ３５０は、接続要件情報等、各種情報を保持する。
【００４５】
無線子機４００のブロック構成図を図７に示す。無線子機４００は、図７に示すように、無線子機側接続スイッチ４１０と、無線子機制御部４２０と、無線子機側通信部４３０と、動作検出部４４０と、無線子機メモリ４５０と、を備える。
【００４６】
無線子機側接続スイッチ４１０は、押下されると、無線子機４００を、無線親機側接続スイッチ２１０が押下された無線親機２００や、情報管理装置側接続スイッチ３１０が押下された情報管理装置３００と接続させる。
【００４７】
無線子機制御部４２０は、情報管理装置側接続スイッチ３１０及び無線子機側接続スイッチ４１０が押下され、情報管理装置３００と無線子機４００とが接続した後、無線子機メモリ４５０から接続要件情報を読み出し、これを無線子機側通信部４３０に、情報管理装置側通信部３３０へ送信させる。
【００４８】
また、無線子機制御部４２０は、無線親機２００と無線子機４００が接続した後、無線子機側通信部４３０から動作制御信号を通知された場合、当該動作制御信号の指示内容に基づき、動作検出部４４０を動作させる。ここで、動作制御信号とは、「無線子機４００の消費電力を監視せよ」、「温度、湿度を計測せよ」、「１時間後に無線子機４００に電源をＯＦＦせよ」等の指示内容を含んだ信号のことである。
【００４９】
無線子機側通信部４３０は、情報管理装置側接続スイッチ３１０及び無線子機側接続スイッチ４１０が押下され、情報管理装置３００と無線子機４００とが接続した後、無線子機制御部４２０が読み出した接続要件情報を、情報管理装置側通信部３３０へ送信する。
【００５０】
また、無線子機側通信部４３０は、無線親機２００と無線子機４００が接続した後、ユーザが無線親機２００の図示しない動作制御信号入力部を操作し、無線親機側通信部２３０に送信させた動作制御信号を受信した場合、これを無線子機制御部４２０に通知する。
【００５１】
動作検出部４４０は、無線子機制御部４２０の指示（動作制御信号の指示内容）に基づき動作する。
【００５２】
無線子機メモリ４５０は、無線子機側通信部４３０が受信した動作制御信号や接続要件情報等、各種情報を保持する。
【００５３】
次に、物件に新たな居住者が入居する以前に行われる動作について説明する。
【００５４】
物件の管理者は、物件に無線子機４００を設置すると、情報管理装置側接続スイッチ３１０及び無線子機側接続スイッチ４１０を押下することで、情報管理装置３００と無線子機４００との接続を確立し、無線子機４００に情報管理装置３００へ接続要件情報を送信させることで、情報管理装置メモリ３５０に接続要件情報を保持させる。なお、本動作は、情報管理装置３００において、入力部３４０を用いて接続要件情報を入力し、これを情報管理装置メモリ３５０に保持させることでも実現可能である。
【００５５】
その後さらに、物件の管理者は、必要に応じて、入力部３４０を用いて情報管理装置メモリ３５０が保持している接続要件情報に対し、削除や追加修正等を行う。物件の管理者は、情報管理装置メモリ３５０が保持している接続要件情報に対し、例えば、図８に示すような削除修正を加える。また、物件の管理者は、情報管理装置メモリ３５０が保持している接続要件情報に対し、例えば、図９に示すような追加修正を加える。
【００５６】
そして、物件の管理者は、情報管理装置３００を物件の新たな居住者に譲渡する。
【００５７】
なお、上記動作を行う者は、物件の管理者に限定されない。例えば、物件の施工業者等であってもよい。
【００５８】
次に、図１０を参照しながら、無線親機２００が無線子機４００と接続する動作手順について説明する。
【００５９】
物件の新たな居住者は、無線親機側接続スイッチ２１０及び情報管理装置側接続スイッチ３１０を押下し、無線親機２００と情報管理装置３００を接続させる（Ｓ２０１）。
【００６０】
Ｓ２０１の後、情報管理装置制御部３２０は、情報管理装置メモリ３５０から接続要件情報を読み出し、これを情報管理装置側通信部３３０に、無線親機側通信部２３０へ送信させる（Ｓ２０２）。
【００６１】
無線親機側通信部２３０は、接続要件情報を受信すると、これを無線親機メモリ２４０に保存する（Ｓ２０３）。
【００６２】
無線親機制御部２２０は、無線親機メモリ２４０に保存された接続要件情報を無線親機側通信部２３０の通信設定に適用する（Ｓ２０４）。具体的には、Ｓ２０４で保存された接続要件情報が図４に示すものであった場合、無線親機制御部２２０は、無線親機側通信部２３０の通信設定に、使用チャネルとして暗号方式９２０ＭＨｚ帯特定省電力規格であるＡＲＩＢのＳＴＤ−Ｔ１０８で規定された５３ｃｈ/５４ｃｈを、変調方式としてＧＦＳＫ（Ｇａｕｓｓｉａｎ  Ｆｉｌｔｅｒｅｄ  ｆｒｅｑｕｅｎｃｙ  Ｓｈｉｆｔ  Ｋｅｙｉｎｇ）を、ＰＡＮ-ＩＤとして１２３４を、無線子機４００−１及び無線子機４００−２の子機アドレスとして“ａａ：〜：ａａ”及び“ｂｂ：〜：ｂｂ”を、暗号方式としてＡＥＳを、無線子機４００−１及び無線子機４００−２の認証鍵として“ａａａａａ”及び“ｂｂｂｂｂ”を、それぞれ設定する。
【００６３】
そして、無線親機制御部２２０は、接続要件情報を設定した通信設定下で、無線親機側通信部２３０を動作させる（Ｓ２０５）。
【００６４】
Ｓ２０５の後、無線親機２００は、無線子機４００と接続し、無線子機４００の動作を遠隔で制御可能となる。
【００６５】
以上のように、本実施形態に係る通信システム１００において、情報管理装置３００は、物件の管理者によって更新された接続要件情報を保持する。そして、物件の新たな居住者は、情報管理装置３００が保持する接続要件情報を無線親機２００に受信させ、無線親機２００と無線子機４００とを接続させる。従って、本実施形態によれば、物件に新たな居住者が入居する以前に、新たな子機が追加設置された場合や、新たな子機が付替設置された場合であっても、物件の新たな居住者の通信装置と、新たな子機及び既設子機とを容易に接続させることができる。
【００６６】
なお、本実施形態に係る通信システム１００において、無線親機２００は、情報管理装置３００から受信した接続要件情報に基づき、無線子機４００と接続する。従って、物件の新たな居住者は、無線子機４００が手に届かない場所に設置されている場合や、無線子機４００の設置場所が不明な場合であっても、無線親機２００と無線子機４００とを接続させることができる。
【００６７】
また、本実施形態においては、無線親機側接続スイッチ２１０、情報管理装置側接続スイッチ３１０及び無線子機側接続スイッチ４１０を押下することで、スイッチが押下された通信装置間を接続させたが、これに限定されない。例えば、情報管理装置３００にＰＩＮ（Ｐｅｒｓｏｎａｌ  Ｉｄｅｎｔｉｆｉｃａｔｉｏｎ  Ｎｕｍｂｅｒ）コードを生成させ、これを無線親機２００や無線子機４００に入力することで、無線親機２００及び無線子機４００と、情報管理装置３００とを接続させることもできる。
【００６８】
また、本実施形態において、接続要件情報は、図１１に示すように、無線子機４００の設置場所や、機能、機器名、メーカ等の情報も保持することができる。これにより、物件の新たな居住者は、無線子機４００の設置場所や、機能、機器名、メーカ等の情報も管理することができる。
【００６９】
また、本実施形態において、無線親機２００と、情報管理装置３００と、無線子機４００とのそれぞれは、ＡＲＩＢ  ＳＴＤ−Ｔ１０８で規定された９２０ＭＨｚ帯特定省電力無線規格に準じた同一無線通信方式に対応しているものとしたが、これに限定されない。例えば、無線親機２００と、情報管理装置３００と、無線子機４００とのそれぞれを、ＩＥＥＥ８０２．１１ｎなどで規定された２．４ＧＨｚ帯域の無線規格に準じた無線通信方式に対応させることもできる。この場合、接続要件情報は、例えば、図１２のようになる。
【００７０】
また、本実施形態に係る無線親機２００は、９２０ＭＨｚ帯特定省電力無線規格以外の規格に対応した通信部を更に備えることができる。これにより、物件の新たな居住者は、物件の管理者が、９２０ＭＨｚ帯特定省電力無線規格以外の規格に対応した通信装置との接続に必要な情報を情報管理装置３００に保持させた場合であっても、無線子機４００と上記通信装置とを接続させることができる。なお、無線親機２００が備えることができる通信部の数及びその通信規格は、特に限定されない。
【００７１】
また、本実施形態に係る無線子機４００は、子機と親機両方の機能を備えた通信装置であってもよい。この場合も上記と同様の方法を用いて、物件の新たな居住者は、無線親機２００と無線子機４００とを接続させることができる。
【００７２】
また、本実施形態に係る通信システム１００では、接続要件情報の保持および子機情報の無線親機２００への送信のために情報管理装置３００を用いたが、これに限定されない。例えば、ＵＳＢ（Ｕｎｉｖｅｒｓａｌ  Ｓｅｒｉａｌ  Ｂｕｓ）メモリ等の記憶媒体を用いてもよい。この場合、物件の管理者は、ＵＳＢメモリを無線子機４００の図示しないインターフェースに接続し、ＵＳＢメモリに接続要件情報を保存する。そして、物件の新たな居住者は、ＵＳＢメモリを無線親機の２００の図示しないインターフェースに接続し、上記接続要件情報を無線親機メモリ２４０に保存することで、無線親機２００と無線子機４００とを接続させることができる。なお、ＵＳＢメモリを用いる場合、物件の管理者は、パソコン等を用いてＵＳＢメモリに保持されている接続要件情報の削除や追加を行う。
【００７３】
また、本実施形態においては、物件の新たな居住者は、情報管理装置３００から受信した接続要件情報を用いて、無線親機２００と無線子機４００とを接続させた後、新たな無線子機４００―ａを通信システム１００に追加する場合、無線親機側接続スイッチ２１０及び無線子機側接続スイッチ４１０−ａを押下することで、無線親機２００と無線子機４００−ａとを接続させることができる。なお、物件の新たな居住者は、無線子機４００−ａとの接続に必要な情報を情報管理装置３００に保持させ、これを無線親機２００に送信することで、無線親機２００と無線子機４００とを接続させることもできる。
【００７４】
また、本実施形態においては、無線親機２００として、スマートフォン等の端末装置を用いることもできる。この場合、無線親機２００と情報管理装置３００との接続は、無線親機側接続スイッチ２１０および情報管理装置側接続スイッチ３１０による接続の代わりに、Ｆｅｌｉｃａ（登録商標）等による近距離無線通信を用いることができる。
【符号の説明】
【００７５】
１０  情報管理装置
２０  接続設定手段
３０  通信手段
４０  記憶手段
５０  入力手段
１００  通信システム
２００  無線親機
２１０  無線親機側接続スイッチ
２２０  無線親機制御部
２３０  無線親機側通信部
２４０  無線親機メモリ
３００  情報管理装置
３１０  情報管理装置側接続スイッチ
３２０  情報管理装置制御部
３３０  情報管理装置側通信部
３４０  情報管理装置メモリ
４００  無線子機
４１０  無線子機側接続スイッチ
４２０  無線子機制御部
４３０  無線子機側通信部
４３０  動作検出部
４４０  無線子機メモリ
４５０  無線子機側接続スイッチ
【図１】
0006301854.tif 000002
【図２】
0006301854.tif 000003
【図３】
0006301854.tif 000004
【図４】
0006301854.tif 000005
【図５】
0006301854.tif 000006
【図６】
0006301854.tif 000007
【図７】
0006301854.tif 000008
【図８】
0006301854.tif 000009
【図９】
0006301854.tif 000010
【図１０】
0006301854.tif 000011
【図１１】
0006301854.tif 000012
【図１２】
0006301854.tif 000013